Podtech/llm-jp-corpus-v4-ja_patent huggingface dataset:
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
円筒状の芯にロール状に巻かれた印刷用ロール紙が装着されるとともに，該装着される印刷用ロール紙の側端面に当接して該側端面を衝止する当接面と該当接面の裏側に位置する裏側端面とを有する衝止部材を少なくとも一方の端部に備えたロール紙軸であって，
前記衝止部材が，前記印刷用ロール紙の芯の外周部が当接する位置から前記印刷用ロール紙の外周部が当接する位置を含む長さに亘って形成された，前記当接面と前記裏側端面との間を貫通した孔を備え，
前記孔が，円周方向に複数個設けられている，ことを特徴とするロール紙軸。
【請求項２】
請求項１において，前記孔が，該ロール紙軸の半径方向に形成された長孔である，ことを特徴とするロール紙軸。
【請求項３】
請求項２において，前記長孔の半径方向に沿った縁部に，半径方向に沿った目盛が設けられている，ことを特徴とするロール紙軸。
【請求項４】
ロール紙を給送する給紙装置であって，請求項１から３のいずれか１項に記載のロール紙軸が取り付けられる軸受部と，該軸受部に取り付けられた前記ロール紙軸の前記衝止部材に形成された前記孔を，該給紙装置の外部に向けて反射する反射手段と，を備えていることを特徴とする給紙装置。
【請求項５】
ロール紙を給送する給紙装置であって，
円筒状の芯にロール状に巻かれた印刷用ロール紙が装着されるとともに，該装着される印刷用ロール紙の側端面に当接して該側端面を衝止する当接面と該当接面の裏側に位置する裏側端面とを有する衝止部材を少なくとも一方の端部に備え，前記衝止部材が，前記印刷用ロール紙の芯の外周部が当接する位置から前記印刷用ロール紙の外周部が当接する位置を含む長さに亘って形成された，前記当接面と前記裏側端面との間を貫通した孔を備えているロール紙軸が取り付けられる軸受部と，
該軸受部に取り付けられた前記ロール紙軸の前記衝止部材に形成された前記孔を，該給紙装置の外部に向けて反射する反射手段と，を備えていることを特徴とする給紙装置。
【請求項６】
請求項４または５に記載の給紙装置を備えていることを特徴とするプリンタ。
【手続補正２】
【補正対象書類名】明細書
【補正対象項目名】０００６
【補正方法】変更
【補正の内容】
【０００６】
【課題を解決するための手段】
前記課題を達成するために，本願請求項１に記載の発明に係るロール紙軸は，円筒状の芯にロール状に巻かれた印刷用ロール紙が装着されるとともに，該装着される印刷用ロール紙の側端面に当接して該側端面を衝止する当接面と該当接面の裏側に位置する裏側端面とを有する衝止部材を少なくとも一方の端部に備えたロール紙軸であって，前記衝止部材が，前記印刷用ロール紙の芯の外周部が当接する位置から前記印刷用ロール紙の外周部が当接する位置を含む長さに亘って形成された，前記当接面と前記裏側端面との間を貫通した孔を備え，前記孔が，円周方向に複数個設けられている，ことを特徴とする。
【手続補正３】
【補正対象書類名】明細書
【補正対象項目名】０００７
【補正方法】変更
【補正の内容】
【０００７】
本願請求項１に記載の発明に係るロール紙軸には，円筒状の芯にロール状に巻かれた印刷用ロール紙が装着される。また，このロール紙軸の少なくとも一方の端部には，装着される印刷用ロール紙の側端面に当接して該側端面を衝止する当接面と該当接面の裏側に位置する裏側端面とを有する衝止部材が設けられている。この衝止部材は，印刷用ロール紙の芯の外周部が当接する位置から前記印刷用ロール紙の外周部が当接する位置を含む長さに亘って形成された，前記当接面と前記裏側端面との間を貫通した孔を備えている。  
また、本願請求項１に記載の発明によると，前記孔が，円周方向に複数個設けられているので，ロール紙軸がどうような回転位置にあっても，プリンタ利用者が最も見やすい孔からロール紙の残量を確認することができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本願請求項４に記載の発明に係る給紙装置は，ロール紙を給送する給紙装置において，請求項１から３のいずれか１項に記載のロール紙軸が取り付けられる軸受部と，前記ロール紙軸の前記衝止部材に形成された前記孔を該給紙装置の外部に向けて反射する反射手段と，を備えていることを特徴とする。
【手続補正６】
【補正対象書類名】明細書
【補正対象項目名】００１４
【補正方法】変更
【補正の内容】
【００１４】
本願請求項４に記載の発明によると，本願請求項１から３のいずれか１項に記載のロール紙軸は，軸受部に取り付けられ，給紙装置に設けられた反射手段は，該軸受部に取り付けられたロール紙軸の衝止部材に形成された前記孔を，該給紙装置の外部に向けて反射する。  
本願請求項５に記載の発明に係る給紙装置は，ロール紙を給送する給紙装置であって，円筒状の芯にロール状に巻かれた印刷用ロール紙が装着されるとともに，該装着される印刷用ロール紙の側端面に当接して該側端面を衝止する当接面と該当接面の裏側に位置する裏側端面とを有する衝止部材を少なくとも一方の端部に備え，前記衝止部材が，前記印刷用ロール紙の芯の外周部が当接する位置から前記印刷用ロール紙の外周部が当接する位置を含む長さに亘って形成された，前記当接面と前記裏側端面との間を貫通した孔を備えているロール紙軸が取り付けられる軸受部と，該軸受部に取り付けられた前記ロール紙軸の前記衝止部材に形成された前記孔を，該給紙装置の外部に向けて反射する反射手段と，を備えていることを特徴とする。  
本願請求項５に記載の発明によると、ロール紙軸は，軸受部に取り付けられ，給紙装置に設けられた反射手段は，該軸受部に取り付けられたロール紙軸の衝止部材に形成された前記孔を，該給紙装置の外部に向けて反射する。
【手続補正７】
【補正対象書類名】明細書
【補正対象項目名】００１５
【補正方法】変更
【補正の内容】
【００１５】
したがって，本願請求項４または５に記載の発明によると，給紙装置の外部から，反射手段を介して，孔を見ることができる。これにより，給紙装置の外部からも，反射手段を介して，ロール紙の残量を確認することができる。
【手続補正８】
【補正対象書類名】明細書
【補正対象項目名】００１７
【補正方法】変更
【補正の内容】
【００１７】
本願請求項６に記載の発明に係るプリンタは，請求項４または５に記載の給紙装置を備えていることを特徴とする。  
本願請求項６に記載の発明によっても，前記本願請求項４または５に記載の発明と同様の作用効果を得ることができる。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
ラクトフェリン類を有効成分として含有するＩｇＥ産生抑制剤。
【請求項２】
ラクトフェリン類が、哺乳類のラクトフェリン、ラクトフェリン亜鉛、ラクトフェリン鉄、ラクトフェリン銅、ラクトフェリンマンガン、及びアポラクトフェリンからなる群より選択された化合物、又はこれらの２種以上の混合物である請求項１に記載のＩｇＥ産生抑制剤。
【請求項３】
ラクトフェリン類を有効成分として含有し、ＩｇＥ産生抑制の機能を有するように加工された食品。
【手続補正２】
【補正対象書類名】明細書
【補正対象項目名】００１２
【補正方法】変更
【補正の内容】
【００１２】
【課題を解決するための手段】
前記課題を解決する本発明は、ラクトフェリン類を有効成分として含有するＩｇＥ産生抑制剤であり、ラクトフェリン類が、哺乳類のラクトフェリン、ラクトフェリン亜鉛、ラクトフェリン鉄、ラクトフェリン銅、ラクトフェリンマンガン、及びアポラクトフェリンからなる群より選択された化合物、又はこれらの２種以上の混合物であることを望ましい態様としてもいる。また本発明の他の態様は、ラクトフェリン類を有効成分として含有し、ＩｇＥ産生抑制の機能を有するように加工された食品である。
【手続補正３】
【補正対象書類名】明細書
【補正対象項目名】００２７
【補正方法】変更
【補正の内容】
【００２７】
抗原としてオボアルブミン（シグマ社製）２．５μｇを使用し、これをアジュバントである水酸化アルミニウム（和光純薬社製）１ｍｇに吸着させ、前記各試験動物の腹腔内に投与した。投与後３日間放置し、試料を、試料中の有効成分であるラクトフェリンの投与量が、試験群毎に、０ｍｇ／ｋｇ体重／日（空試験）、２０ｍｇ／ｋｇ体重／日、３０ｍｇ／ｋｇ体重／日、１００ｍｇ／ｋｇ体重／日、又は３００ｍｇ／ｋｇ体重／日の量となるように、１日１回、経口ゾンデを使用して強制的に３日間連続して投与し、４日間放置
し、再び試料を３日間連続して投与し、１日間放置し、のちマウスの心臓より採血し、血清サンプルを得た。
【手続補正４】
【補正対象書類名】明細書
【補正対象項目名】００２９
【補正方法】変更
【補正の内容】
【００２９】
即ち、一次抗体である抗マウスＩｇＥモノクローナル抗体Ｒ３５−９２（ファーミンジェン社製）溶液を９６ウェルマイクロプレート（ヌンク社製）に添加して、一晩４℃で吸着させ、次いでウシ血清アルブミン（シグマ社製）を使用してブロッキング処理を行い、血清サンプルを添加して反応させ、二次抗体としてビオチン標識抗マウスＩｇＥモノクローナル抗体Ｒ３５−１１８（ファーミンジェン社製）溶液を添加して反応させ、ペルオキシダーゼ標識アビジンＤ（ベクター・ラボラトリー社製）を添加して反応させ、発色用緩衝液であるパーオキシダーゼ基質溶液（キルケガード・ペリー・ラボラトリー社製）を添加して発色させ、４０５ｎｍの吸光度を測定し、図１に示す検量線に基づいてＩｇＥ量を求め、各試験群１０匹の平均値を算出し、試験群毎の血清中の総ＩｇＥ量を試験した。
【手続補正５】
【補正対象書類名】明細書
【補正対象項目名】００３１
【補正方法】変更
【補正の内容】
【００３１】
（３）試験結果
この試験の結果は、表１に示すとおりである。表１から明らかなとおり、ラクトフェリンは、少なくとも３０ｍｇ／ｋｇ体重／日の割合で投与することにより顕著なＩｇＥ産生抑制の効果を示した。
【手続補正６】
【補正対象書類名】明細書
【補正対象項目名】００４０
【補正方法】変更
【補正の内容】
【００４０】
即ち、０．１Ｍ炭酸水素ナトリウム緩衝液（ｐＨ８．２）に１０μｇ／ｍｌの濃度で溶解したウシカゼイン（ナカライテスク社製）溶液を９６ウェルマイクロプレートに５０μｌ添加し、一晩４℃で吸着させた。次いでウシ血清アルブミン（シグマ社製）を使用してブロッキング処理を行い、血清サンプルを添加して反応させ、パーオキシダーゼ標識抗マウスＩｇＥ（Ｆｃ）抗ヤギ抗体（ノルディック・イミュノロジー社製）を添加して反応させ、発色用緩衝液であるパーオキシダーゼ基質溶液（キルケガード・ペリー・ラボラトリー社製）を添加して発色させ、４０５ｎｍの吸光度を測定し、前記図１に示す検量線に基づいてＩｇＥ量を求め、各試験群１０匹の平均値を算出し、試験群毎の血清中のカゼイン特異的ＩｇＥ量を試験した。
【手続補正書】
【提出日】平成16年5月14日(2004.5.14)
【手続補正１】
【補正対象書類名】明細書
【補正対象項目名】００３１
【補正方法】変更
【補正の内容】
【００３１】
細孔のある基板の細孔内への液の浸入性を良くする方法としては次の様な方法もある。
（１）塗布する液は溶媒を少なくとも少量は残し、液温はその溶媒の沸点あるいは沸点＋α程度とする。
（２）基板表面を大気から溶媒蒸気に置換する。
（基板表面に溶媒蒸気を流す、あるいは一度真空引きして流す。）
（３）基板を冷却しながら超微粒子分散液を塗布する。
上記過程は
（１）で液は表面張力が低下し、流動性を増すので細孔に流れ込みやすくなり、
（２）で不擬縮性のガス（空気）を細孔内から排除し、
（３）で溶媒蒸気を凝縮しながら分散液を細孔に導く、
ことを目的とし、細孔内への液の侵入を促すものである。
【手続補正書】
【提出日】平成17年7月26日(2005.7.26)
【手続補正１】
【補正対象書類名】明細書
【補正対象項目名】００４２
【補正方法】変更
【補正の内容】
【００４２】
第３実施例の二方向クラッチ機構３２は、第１クラッチ要素３３、第２クラッチ要素３４、方向切換要素３５およびスプラグ６１…を備える。第１クラッチ要素３３はスリーブ３１に接続され、第２クラッチ要素３４は油圧ポンプ２６のインナーロータ２７に接続され、方向切換要素３５は増速手段３８に接続される。方向切換要素３５のポケット３５ａ…に嵌合するスプラグ６１の半径方向内端は第１クラッチ要素３３の外周の凹部３３ｂ…に嵌合し、スプラグ６１の半径方向外端は第２クラッチ要素３４の内周の円弧面３４ｃ当接する。方向切換要素３５のポケット３５ａ…の両側にはスプラグ６１の両側面に当接するスプリング６２…が設けられており、これらスプリング６２…の弾発力で方向切換要素３５は第１クラッチ要素３３に対して中立位置（図７（Ａ）参照）に付勢される。方向切換要素３５の第１クラッチ要素３３に対する相対回転角は、図示せぬピンおよび切欠の係合により規制される。
【手続補正２】
【補正対象書類名】図面
【補正対象項目名】図７
【補正方法】変更
【補正の内容】
【図７】
2001158247.tif 000001
【手続補正書】
【提出日】平成17年8月2日(2005.8.2)
【手続補正１】
【補正対象書類名】明細書
【補正対象項目名】００３７
【補正方法】変更
【補正の内容】
【００３７】
ステップＳ１０４では、自動調光処理において参照輝度値Ｙrと比較される観察画像Ａの輝度値Ｉが、以下の式に基づいて算出される。以下では、輝度値Ｉを代表輝度値という。
Ｉ＝α×Ｊａｖｅ＋β×Ｙp                      ・・・・・（３）
ただし、α、βは重み付け係数である。重み付け係数α、βの値は使用状況に合わせて設定すればよいが、ここではαはβに比べて十分小さい値に設定される。ステップＳ１０４が実行されると、ステップＳ１０５へ進む。
【手続補正２】
【補正対象書類名】図面
【補正対象項目名】図２
【補正方法】変更
【補正の内容】
【図２】
2004147924.tif 000001
【手続補正３】
【補正対象書類名】図面
【補正対象項目名】図５
【補正方法】変更
【補正の内容】
【図５】
2004147924.tif 000002
【手続補正４】
【補正対象書類名】図面
【補正対象項目名】図８
【補正方法】変更
【補正の内容】
【図８】
2004147924.tif 000003
【手続補正５】
【補正対象書類名】図面
【補正対象項目名】図１２
【補正方法】変更
【補正の内容】
【図１２】
2004147924.tif 000004
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
外周に複数種類の当選絵柄が配列された複数のリールと、ハズレ及び複数種類の当選役のうちのいずれかを抽選により決定し、前記抽選の結果に基づいて前記リールの駆動制御を実行する主制御部とを取り付けた支持枠が交換可能に筐体内部に収納された遊技機であって、
操作部を有する下扉と、リール表示窓を有する上扉とを前記筐体の前面に開閉自在に取付け、
前記上扉を開放したときに前記支持枠を交換可能にするとともに、前記上扉に遊技機の機種に応じた情報を表示する情報表示手段と設け、
前記情報表示手段で前記情報を表示させるための表示プログラムを格納した表示プログラム記憶手段を前記主制御部に設けたことを特徴とする遊技機。
【手続補正２】
【補正対象書類名】明細書
【補正対象項目名】０００７
【補正方法】変更
【補正の内容】
【０００７】
【課題を解決するための手段】
上記目的を達成するために、本発明の遊技機は、外周に複数種類の当選絵柄が配列された複数のリールと、ハズレ及び複数種類の当選役のうちのいずれかを抽選により決定し、前記抽選の結果に基づいて前記リールの駆動制御を実行する主制御部とを取り付けた支持枠が交換可能に筐体内部に収納された遊技機であって、操作部を有する下扉と、リール表示窓を有する上扉とを前記筐体の前面に開閉自在に取付け、前記上扉を開放したときに前記支持枠を交換可能にするとともに、前記上扉に遊技機の機種に応じた情報を表示する情報表示手段と設け、前記情報表示手段で前記情報を表示させるための表示プログラムを格納した表示プログラム記憶手段を前記主制御部に設けたものである
【手続補正３】
【補正対象書類名】明細書
【補正対象項目名】００３６
【補正方法】変更
【補正の内容】
【００３６】
【発明の効果】
以上のように、本発明によれば、上扉に遊技機の機種ごとに応じた情報を表示する情報表示手段を設けるとともに、複数のリールと主制御部とを取り付けた支持枠が上扉を開放したときに交換可能となるので、交換部品の点数を削減することが可能になり、新たな機種との入れ替えを行うにあたって、効果的なコストダウンを実現できる。また、交換部品点数の削減により、作業の手間を省くことができ、交換部品の重量も軽くなるため、作業性を向上させることができる。また、上扉に情報表示手段として液晶パネルを設けることにより、機種ごとの上扉のデザインをする際の自由度が高くなり、また、従来にない演出や報知などを行うことも可能になる。
【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】
遊技盤面上に発射された遊技球が作動口に入球するタイミングに起因して当否乱数の値を抽出し、該抽出された乱数値が所定値と一致することに起因して遊技者に有利な大当り遊技を実行し、前記当否乱数の抽出による前記大当りの発生確率を高めた高確率遊技に移行するか否かを判定するための高確率判定乱数の値を前記タイミングに起因して抽出し、該抽出された乱数値が所定値と一致すれば前記大当り遊技終了後に高確率遊技に移行する遊技機であって、
前記当否乱数の抽出による当否判定の結果を前記大当り遊技開始前に当否判定表示手段により報知し、前記高確率判定乱数の抽出による高確率移行の判定結果を高確率判定表示手段により報知し、該高確率判定表示手段による高確率に移行するか否かの報知を前記大当り遊技中又は大当り遊技終了後に実行し、
前記高確率判定乱数の抽出による高確率移行の判定結果を、前記大当り遊技終了前に前記高確率判定表示手段と別体の高確率報知手段に出力することを特徴とする遊技機。
【請求項２】
遊技盤面上に発射された遊技球が作動口に入球するタイミングに起因して当否乱数の値を抽出し、該抽出された乱数値が所定値と一致することに起因して遊技者に有利な大当り遊技を実行し、前記当否乱数の抽出による前記大当りの発生確率を高めた高確率遊技に移行するか否かを判定するための高確率判定乱数の値を前記タイミングに起因して抽出し、該抽出された乱数値が所定値と一致すれば前記大当り遊技終了後に高確率遊技に移行する遊技機であって、
前記当否乱数の抽出による当否判定の結果を前記大当り遊技開始前に当否判定表示手段により報知し、前記高確率判定乱数の抽出による高確率移行の判定結果を高確率判定表示手段により報知し、該高確率判定表示手段による高確率に移行するか否かの報知を前記大当り遊技中又は大当り遊技終了後に実行し、
前記当否判定の結果及び前記高確率移行の判定結果を報知する、前記遊技盤面を除く箇所に設けられた報知手段と、
該報知手段により報知態様を、前記当否判定結果を報知する場合と前記高確率移行の判定結果を報知する場合とで相違させる報知態様変更手段と、
を備えたことを特徴とする遊技機。
【請求項３】
請求項１に記載の遊技機において、
前記判定表示手段による判定結果の表示の前に、前記高確率報知手段による報知を行う遊技機。
【手続補正２】
【補正対象書類名】明細書
【補正対象項目名】０００３
【補正方法】変更
【補正の内容】
【０００３】
【発明が解決しようとする課題】
しかしながら、パチンコホールの従業員には不評であることが考えられた。何故ならば、従来のパチンコ遊技機では、大当りが発生した時点で高確率に移行するか否かを判別できたので、大当りが発生した時点で大当りが発生したパチンコ台に従業員は単発の大当りの札と高確率継続の札とを区別して遊技台に取り付けることができたからである。大当り遊技終了後に高確率遊技に移行するか否かを報知する遊技機では、従業員は、大当りが発生した時点で大当りが発生したパチンコ台に注目し、大当り発生の札を取り付け、このとき必要があれば賞球として払い出されるパチンコ球を入れる所謂ドル箱を遊技者に手渡し、大当り遊技終了後に再び高確率遊技に移行するのか否かをチェックし、高確率に移行する場合には高確率継続の札を取り付ける作業をする必要が生じた。即ち、大当り終了後に高確率に移行するか否かを報知する遊技機は、大当りが発生した時点から大当り遊技が終了するまでは、そのパチンコ台から目を離すことができず、従業員にとっては作業効率を悪くすることが考えられた。この課題は、短時間に複数のパチンコ台で大当りが発生した場合には、従業員に過大な負担をかけることになる。また、大当り遊技は、大当り遊技中に途中で消滅することもあり、一定時間経過後に再びチェックすれば良いというものでもなく、高確率に移行するか否かを判別するためには大当り遊技中のパチンコ台から目を離すことはできない。
尚、高確率継続の札とは、遊技が高確率で行われるため、賞球として払い出された遊技球で遊技を続行しても良いことを示す札のことをいう。
【手続補正３】
【補正対象書類名】明細書
【補正対象項目名】０００７
【補正方法】変更
【補正の内容】
【０００７】
請求項３記載の遊技機は、請求項１に記載の遊技機において、
前記判定表示手段による判定結果の表示の前に、前記高確率報知手段による報知を行う遊技機である。
これにより、高確率報知手段がパチンコ台（遊技機）とは別体なので、遊技者に認識されない効果がある。
【手続補正４】
【補正対象書類名】明細書
【補正対象項目名】０００８
【補正方法】変更
【補正の内容】
【０００８】
前記当否乱数の抽出するタイミングと前記高確率判定乱数の抽出するタイミングとは、同一割り込み処理内で抽出されることが好ましい。
これにより、大当りに関連する重要な乱数である当否乱数と高確率判定乱数とを同じ割込み内で処理しているので、乱数の処理が簡素化される。また、当該処理時間が割込み時間以内に収まるので、割込み時間を長くする必要はなく、信号伝送時間も短くでき、画像処理速度も好適な速度を維持できる。さらに、当否乱数は大当りか否かを判定するために用いる乱数であり、高確率判定乱数は高確率に移行するか否かを判定するために用いる乱数であり、共に遊技者に有利になるか否かを判定するために用いる乱数である。本実施形態では、遊技者に有利になるか否かを判定するために用いる２つの乱数は同一割込みで抽出し、その他の乱数はその後に抽出する構成としている。これにより、遊技者に有利・不利を判定するプログラムの構成が単純化される。この結果、乱数に関連するプログラム、特に大当りや確率変動の中核となる処理のチェック等が簡単になり、不正防止等の効果も奏する。
【手続補正５】
【補正対象書類名】明細書
【補正対象項目名】０００９
【補正方法】変更
【補正の内容】
【０００９】
前記当否乱数と前記高確率判定乱数とは同一の乱数であることが好ましい。
これにより、乱数作成又は抽出の処理の簡素化を図ることができる。
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
データの通信方法であって、
第１のノードの動作に関連した制御信号を受信する制御回路を設けるステップ、
前記第１のノードにおいて、第１のプロトコルによる形式のエンコードデータの組を受信するステップ、
前記エンコードデータの組をデコードして、実質的に連続的なデータのストリームからなる第１の組のデータ、及び第２の組のデータを獲得するステップ、
第１のソース/シンクに前記第１の組のデータを通過させるステップ、
前記制御信号に応じて第２のノードに転送するために前記第１の組のデータをエンコードし、当該第１の組のデータが前記第１のプロトコルによる形式にエンコードされるステップ、
からなる通信方法。
【請求項２】
前記第１の組のデータが音声データである請求項１記載の通信方法。
【請求項３】
前記第２の組のデータがパケットデータである請求項１又は２記載の通信方法。
【請求項４】
前記制御回路が状態マシンにしたがって動作される請求項１〜３のいずれか１項記載の通信方法。
【請求項５】
前記第２のノードが２つのノードからなる請求項１〜４のいずれか１項記載の通信方法。
【請求項６】
前記第１のプロトコルが時分割多重化プロトコルである請求項１〜５のいずれか１項記載の通信方法。
【請求項７】
前記第１のプロトコルが複数の連続したフレームからなり、各フレームが複数の繰り返すスロットからなる請求項１〜６のいずれか１項記載の通信方法。
【請求項８】
前記第１のプロトコルがイーサネットプロトコルである請求項１〜５のいずれか１項記載の通信方法。
【請求項９】
データの通信方法であって、
第１のノードにおいて、等時性データの第１の組と非等時性データの第２の組を受信するステップ、
前記データの第１の組と前記データの第２の組をエンコードし、エンコードデータの組を形成するステップ、
前記エンコードデータの組を第２のノードに第１のデータリンクを介して伝送するステップ、
前記第２のノードにおいて、前記エンコードデータの組をデコードし、等時性部分と非等時性部分を獲得するステップ、
第１の制御信号に応じて等時性部分をエンコードしてエンコードされた等時性部分を形成し、このエンコードされた等時性部分が、前記第１の制御信号に応じて、第２のデータリンクを介して第３のノードに伝送されるステップ、
からなる通信方法。
【請求項１０】
前記等時性データの第１の組がビデオデータである請求項９記載の通信方法。
【請求項１１】
前記第１のデータリンクが物理媒体からなる請求項９又は１０記載の通信方法。
【請求項１２】
前記制御回路が制御状態マシンに関連している請求項９〜１１のいずれか１項記載の通信方法。
【請求項１３】
前記第２のノードが２つのノードからなる請求項９〜１２のいずれか１項記載の通信方法。
【請求項１４】
前記エンコードデータの組がイーサネットプロトコルにしたがってエンコードされている請求項９〜１３のいずれか１項記載の通信方法。
【請求項１５】
前記エンコードデータが複数の連続するフレームからなる時分割多重化プロトコルにしたがってエンコードされ、各フレームが、複数の繰り返すスロットからなる請求項９〜１３のいずれか１項記載の通信方法。
【請求項１６】
データを通信するための装置であって、
第１のノードの動作に関連した制御信号を受信するための制御回路と、
前記第１のノードにおいて、第１のプロトコルによる形式のエンコードデータの組を受信するための第１のノード受信回路と、
前記エンコードデータの組をデコードし、実質的に連続的なデータのストリームからなる第１の組のデータ、及び第２の組のデータを獲得するデコード回路と、
第１のソース/シンクに前記第１の組のデータを通過させるための第１のノード出力回路と、
前記制御信号に応じて第２のノードに転送するために前記第１の組のデータをエンコードするためのエンコード回路と、当該第１の組のデータが前記第１のプロトコルによる形式にエンコードされていることと、
からなる装置。
【請求項１７】
前記第１の組のデータが音声データである請求項１６記載の装置。
【請求項１８】
前記第２の組のデータがパケットデータである請求項１６又は１７記載の装置。
【請求項１９】
前記制御回路が状態マシンにしたがって動作される請求項１６〜１８のいずれか１項記載の装置。
【請求項２０】
前記第２のノードが２つのノードからなる請求項１６〜１９のいずれか１項記載の装置。
【請求項２１】
前記第１のプロトコルが時分割多重化プロトコルである請求項１６〜２０のいずれか１項記載の装置。
【請求項２２】
前記第１のプロトコルが複数の連続したフレームからなり、各フレームが複数の繰り返すスロットからなる請求項１６〜２１のいずれか１項記載の装置。
【請求項２３】
前記第１のプロトコルがイーサネットプロトコルである請求項１６〜２０のいずれか１項記載の装置。
【請求項２４】
データを通信するための装置であって、
第１のノードにおいて、等時性データの第１の組と非等時性データの第２の組を受信するための第１のノード入力回路と、
前記データの第１の組と前記データの第２の組をエンコードし、エンコードデータの組を形成するための第１のノードエンコード回路と、
前記エンコードデータの組を第２のノードに第１のデータリンクを介して伝送するための第１のノード伝送回路と、
前記第２のノードにおいて、前記エンコードデータの組をデコードし、等時性部分と非等時性部分を獲得するための第２のノードデコーダ回路と、
第１の制御信号に応じて等時性部分をエンコードしてエンコードされた等時性部分を形成するための第２のノードエンコード回路と、このエンコードされた等時性部分が、前記第１の制御信号に応じて、第２のデータリンクを介して第３のノードに伝送されることと、
からなる装置。
【請求項２５】
前記等時性データの第１の組がビデオデータである請求項２４記載の装置。
【請求項２６】
前記第１のデータリンクが物理媒体からなる請求項２４又は２５記載の装置。
【請求項２７】
前記制御回路が制御状態マシンに関連している請求項２４〜２６のいずれか１項記載の装置。
【請求項２８】
前記第２のノードが２つのノードからなる請求項２４〜２７のいずれか１項記載の装置。
【請求項２９】
前記エンコードデータの組がイーサネットプロトコルにしたがってエンコードされている請求項２４〜２８のいずれか１項記載の装置。
【請求項３０】
前記エンコードデータが複数の連続するフレームからなる時分割多重化プロトコルにしたがってエンコードされ、各フレームが、複数の繰り返すスロットからなる請求項２４〜２８のいずれか１項記載の装置。
【手続補正書】
【提出日】平成16年6月24日(2004.6.24)
【手続補正１】
【補正対象書類名】特許請求の範囲
【補正対象項目名】全文
【補正方法】変更
【補正の内容】
【特許請求の範囲】
【請求項１】
搬送ブロックサイズを指示する第１情報を含む情報を送信し、上記第１情報は、ビットの設定数である搬送ブロックサイズを指示し、
上記第１情報により指示された上記搬送ブロックサイズを使用してパケットを送信し、そして
搬送ブロックサイズを指示する第２情報を使用して上記パケットを再送信し、上記第２情報は、ビットの設定数である搬送ブロックサイズを指示し、
上記第２情報が無効の搬送ブロックサイズを指示する場合に、上記第１情報により指示された搬送ブロックサイズを上記再送信に使用する、
という段階を備えた搬送ブロックサイズのシグナリング方法。
【請求項２】
上記無効搬送ブロックサイズは、所定のＴＢＳインデックスにより指示される請求項１に記載の方法。
【請求項３】
上記無効搬送ブロックサイズは、全て１のビット又は全てゼロのビットより成る情報により指示される請求項１に記載の方法。
【請求項４】
搬送ブロックサイズを指示する上記第１情報及び第２情報は、６ビットより成る請求項１に記載の方法。
【請求項５】
ワイヤレス通信システムにおいてベースステーションと移動装置との間で上記情報の送信、パケットの送信及びパケットの再送信を実行する段階を更に備えた請求項１に記載の方法。
【請求項６】
３Ｇワイヤレス通信システムにおいてベースステーションと移動装置との間で上記情報の送信、パケットの送信及びパケットの再送信を実行する段階を更に備えた請求項１に記載の方法。
【請求項７】
ハイスピードダウンリンクパケットアクセス（ＨＳＤＰＡ）を実施するワイヤレス通信システムにおいてベースステーションと移動装置との間で上記情報の送信、パケットの送信及びパケットの再送信を実行する段階を更に備えた請求項１に記載の方法。
【請求項８】
ベースステーションと少なくとも１つの移動装置とを備えたワイヤレス通信システムにおいて、上記ベースステーションは、
搬送ブロックサイズを指示する第１情報を含む情報を送信し、上記第１情報は、ビットの設定数である搬送ブロックサイズを指示し、
上記第１情報により指示された上記搬送ブロックサイズを使用してパケットを送信し、そして
搬送ブロックサイズを指示する第２情報を使用して上記パケットを再送信し、上記第２情報は、ビットの設定数である搬送ブロックサイズを指示し、
上記第２情報が無効の搬送ブロックサイズを指示する場合に、上記第１情報により指示された搬送ブロックサイズを上記再送信に使用する、
ことにより情報を送信するワイヤレス通信システム。
【請求項９】
上記無効搬送ブロックサイズは、所定のＴＢＳインデックスにより指示される請求項８に記載のワイヤレス通信システム。
【請求項１０】
上記無効搬送ブロックサイズは、全て１のビット又は全てゼロのビットより成る情報により指示される請求項８に記載のワイヤレス通信システム。
【請求項１１】
搬送ブロックサイズを指示する上記第１情報及び第２情報は、６ビットより成る請求項８に記載のワイヤレス通信システム。
【請求項１２】
上記ワイヤレス通信システムは、３Ｇワイヤレス通信システムである請求項８に記載のワイヤレス通信システム。
【請求項１３】
上記ワイヤレス通信システムは、ハイスピードダウンリンクパケットアクセス（ＨＳＤＰＡ）を実施する請求項８に記載のワイヤレス通信システム。
【請求項１４】
ワイヤレス通信システムのベースステーションにおいて、該ベースステーションは、
搬送ブロックサイズを指示する第１情報を含む情報を送信し、上記第１情報は、ビットの設定数である搬送ブロックサイズを指示し、
上記第１情報により指示された上記搬送ブロックサイズを使用してパケットを送信し、そして
搬送ブロックサイズを指示する第２情報を使用して上記パケットを再送信し、上記第２情報は、ビットの設定数である搬送ブロックサイズを指示し、
上記第２情報が無効の搬送ブロックサイズを指示する場合に、上記第１情報により指示された搬送ブロックサイズを上記再送信に使用する、
ことにより情報を送信するベースステーション。
【請求項１５】
上記無効搬送ブロックサイズは、所定のＴＢＳインデックスにより指示される請求項１４に記載のベースステーション。
【請求項１６】
上記無効搬送ブロックサイズは、全て１のビット又は全てゼロのビットより成る情報により指示される請求項１４に記載のベースステーション。
【請求項１７】
搬送ブロックサイズを指示する上記第１情報及び第２情報は、６ビットより成る請求項１４に記載のベースステーション。
【請求項１８】
上記ワイヤレス通信システムは、３Ｇワイヤレス通信システムである請求項１４に記載のベースステーション。
【請求項１９】
上記ワイヤレス通信システムは、ハイスピードダウンリンクパケットアクセス（ＨＳＤＰＡ）を実施する請求項１４に記載のベースステーション。
【請求項２０】
ワイヤレス通信システムのユーザターミナルにおいて、該ユーザターミナルは、
搬送ブロックサイズを指示する第１情報を含む情報を受信し、上記第１情報は、ビットの設定数である搬送ブロックサイズを指示し、
上記第１情報により指示された上記搬送ブロックサイズを使用してパケットを受信し、そして
搬送ブロックサイズを指示する第２情報を使用して上記パケットを二回目に受信し、上記第２情報は、ビットの設定数である搬送ブロックサイズを指示し、
上記第２情報が無効の搬送ブロックサイズを指示する場合に、上記第１情報により指示された搬送ブロックサイズを、上記パケットを二回目に受信するときに使用する、
ことによりベースステーションから情報を受信するユーザターミナル。
【請求項２１】
上記無効搬送ブロックサイズは、所定のＴＢＳインデックスにより指示される請求項２０に記載のユーザターミナル。
【請求項２２】
上記無効搬送ブロックサイズは、全て１のビット又は全てゼロのビットより成る情報により指示される請求項２０に記載のユーザターミナル。
【請求項２３】
搬送ブロックサイズを指示する上記第１情報及び第２情報は、６ビットより成る請求項２０に記載のユーザターミナル。
【請求項２４】
上記ワイヤレス通信システムは、３Ｇワイヤレス通信システムである請求項２０に記載のユーザターミナル。
【請求項２５】
上記ワイヤレス通信システムは、ハイスピードダウンリンクパケットアクセス（ＨＳＤＰＡ）を実施する請求項２０に記載のユーザターミナル。
【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】  モータの回転軸方向に分割される円筒状の外側ケーシングおよび内側ケーシングと、
これらケーシングに軸受を介して回転自在に支持されたシャフトと、
このシャフトに一体に固定されたロータと、
このロータに対向配置され、コイルが巻かれたリング状のステータとを備え、
前記外側ケーシング内に前記内側ケーシングが嵌合されて固定されるとともに、これらケーシングによって前記ステータが挟持されたモータにおいて、
前記外側ケーシングは、前記内側ケーシングが嵌合される開口側の大径部と、端面側の小径部とを有し、大径部から小径部へ移行する段部の内面に前記ステータの側面と密着接触する受け面が形成され、さらに、小径部の内部空間に前記コイルの少なくとも一部が配置され、
前記外側ケーシングと前記内側ケーシングとがかしめ、接着あるいは溶接によって互いに固定されており、さらに、前記外側ケーシングと前記内側ケーシングの少なくとも一方に、これらケーシングによる前記ステータの挟持力を高める付勢部が設けられていることを特徴とするモータ。
【請求項２】  前記ステータの回り止め手段が設けられていることを特徴とする請求項１に記載のモータ。
【請求項３】  前記回り止め手段は、前記ステータと前記外側ケーシングおよび／または内側ケーシングとの凹凸係合によるものであることを特徴とする請求項２に記載のモータ。
【請求項４】  前記外側ケーシングの前記小径部の端面に、当該モータを相手部材に取り付けるための取付部材が固定されており、この取付部材の前記段部に対応する位置に取付用孔が形成されていることを特徴とする請求項１〜３のいずれかに記載のモータ。
【請求項５】  前記外側ケーシングおよび前記内側ケーシングにそれぞれ固定される前記軸受のうちの少なくとも一方が、軸方向外側に突出した状態で固定されていることを特徴とする請求項１〜４のいずれかに記載のモータ。
【請求項６】  前記外側ケーシングに、前記軸受が軸方向外側に突出した状態で固定されており、この軸受が前記取付部材で保護されていることを特徴とする請求項５に記載のモータ。
【請求項７】  前記外側ケーシングおよび前記内側ケーシングは板金加工により成形されていることを特徴とする請求項１〜６のいずれかに記載のモータ。
【請求項８】  前記モータはステッピングモータであることを特徴とする請求項１〜７のいずれかに記載のモータ。
【手続補正２】
【補正対象書類名】明細書
【補正対象項目名】０００７
【補正方法】変更
【補正の内容】
【０００７】
【課題を解決するための手段】
本発明のモータは、モータの回転軸方向に分割される円筒状の外側ケーシングおよび内側ケーシングと、これらケーシングに軸受を介して回転自在に支持されたシャフトと、このシャフトに一体に固定されたロータと、このロータに対向配置されたリング状のステータとを備え、外側ケーシング内に内側ケーシングが嵌合されて固定されるとともに、これらケーシングによってステータが挟持されたモータにおいて、外側ケーシングは、内側ケーシングが嵌合される開口側の大径部と、端面側の小径部とを有し、大径部から小径部へ移行する段部の内面にステータの側面と密着接触する受け面が形成され、さらに、小径部の内部空間にコイルの少なくとも一部が配置され、外側ケーシングと内側ケーシングとがかしめ、接着あるいは溶接によって互いに固定されており、さらに、外側ケーシングと内側ケーシングの少なくとも一方に、これらケーシングによる前記ステータの挟持力を高める付勢部が設けられていることを特徴としている。
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  ミックスが収納された可撓性を有する袋本体、及び、該袋本体の外側に設けられて当該袋本体との間に密閉空間を形成可能とされた可撓性を有する外層体とから成るミックス原料袋を保冷する保冷庫と、
前記ミックス原料袋から供給されたミックスを撹拌しながら冷却することにより冷菓を製造する冷却シリンダと、
前記保冷庫及び冷却シリンダを冷却する冷却装置と、
空気圧縮装置と、
前記ミックス原料袋の袋本体内と前記冷却シリンダ内とを連通するためのミックス供給通路と、
前記空気圧縮装置にて生成された圧縮空気を前記ミックス原料袋の外層体と袋本体との間に供給するための袋加圧通路と、
前記圧縮空気を前記冷却シリンダ内に供給するための空気供給通路と、
該空気供給通路に設けられた流路開閉手段と、
前記空気圧縮装置及び流路開閉手段を制御する制御手段とを備え、
前記ミックス供給通路と前記空気供給通路とを前記冷却シリンダ内に連通させると共に、該制御手段は、前記冷却シリンダからの冷菓の抽出開始から遅延して前記流路開閉手段により前記空気供給通路を開放すると共に、
プルダウン時に前記冷却シリンダにミックスを貯溜するに要したプルダウン時間に応じて前記流路開閉手段を開放する遅延時間を変更することを特徴とする冷菓製造装置。
【請求項２】
前記制御手段は、前記プルダウン時間が長い場合は前記遅延時間を延長し、前記プルダウン時間が短い場合は短縮することを特徴とする請求項１の冷菓製造装置。
【手続補正２】
【補正対象書類名】明細書
【補正対象項目名】０００８
【補正方法】変更
【補正の内容】
【０００８】
これにより、重力に依存したミックスの供給方式を廃して安定的なミックスの自動供給
が実現できるようになると共に、ミックスをミックス原料袋から直接冷却シリンダに供給することで、衛生上の問題も解決することができるようになる。また、流路開閉手段の開放により空気供給通路からの圧縮空気によりミックス供給通路からのミックスの流入が阻止され、同時に当該空気供給通路から冷却シリンダ内に圧縮空気を供給されるので、支障無く冷菓のオーバーランが得られるものであるが、この場合にも制御手段は、冷却シリンダからの冷菓の抽出開始から遅延して流路開閉手段により空気供給通路を開放するので、袋本体からのミックスの補充も支障無く行えるようになる。
【手続補正３】
【補正対象書類名】明細書
【補正対象項目名】００７６
【補正方法】変更
【補正の内容】
【００７６】
これにより、重力に依存したミックスの供給方式を廃して安定的なミックスの自動供給が実現できるようになると共に、ミックスをミックス原料袋から直接冷却シリンダに供給することで、衛生上の問題も解決することができるようになる。また、流路開閉手段の開放により空気供給通路からの圧縮空気によりミックス供給通路からのミックスの流入が阻止され、同時に当該空気供給通路から冷却シリンダ内に圧縮空気を供給されるので、支障無く冷菓のオーバーランが得られるものであるが、この場合にも制御手段は、冷却シリンダからの冷菓の抽出開始から遅延して流路開閉手段により空気供給通路を開放するので、袋本体からのミックスの補充も支障無く行えるようになる。
【手続補正書】
【提出日】平成17年7月20日(2005.7.20)
【手続補正１】
【補正対象書類名】明細書
【補正対象項目名】００６１
【補正方法】変更
【補正の内容】
【００６１】
この夫々の監視センサ９，20は、水溜部４の水位13及びメインタンク11Ａの水位19が、水の供給を必要とする所定高さまで降下した際にこれを感知する監視センサ９Ａ，20Ａと、前記水位13，19が、水の供給を停止すべき所定高さまで上昇した際にこれを感知する監視センサ９Ｂ，20Ｂとで構成されている。尚、監視センサ９Ａ，20Ａは水溜部４及びメインタンク11Ａの下方、監視センサ９Ｂ，20Ｂは水溜部４及びメインタンク11Ａの上方に設置されている。
【手続補正２】
【補正対象書類名】明細書
【補正対象項目名】００８４
【補正方法】変更
【補正の内容】
【００８４】
また、メインタンク11Ａから水溜部４に水が供給されることで該メインタンク11Ａ内の水位19が降下し底部に近づくと、メインタンク11Ａに設けた監視センサ20Ａがこれを感知し、該監視センサ20Ａが前記給水管26に設けた供給ポンプ24に電気信号を送って該供給ポンプ24が作動し、これにより、補給タンク11Ｂ内の水が給水管26を介してメインタンク11Ａに供給される。
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
配列番号２に記載のポリペプチドもしくは該ポリペプチドにより構成される細胞表面分子に反応性を有する抗体（ここで、該抗体は、ラット抗体、モルモット抗体、ウサギ抗体、キメラ抗体、ヒト型抗体またはヒト抗体のいずれかである）、またはF(ab')2、Fab'、Fab、Fv、sFv、dsFv若しくはdAbから選ばれる該抗体の一部。
【請求項２】
該抗体が、ラット抗体、モルモット抗体またはウサギ抗体であることを特徴とする請求項１に記載の抗体または該抗体の一部。
【請求項３】
該抗体が、キメラ抗体、ヒト型抗体またはヒト抗体であることを特徴とする請求項１に記載の抗体、または該抗体の一部。
【請求項４】
該抗体が、モノクローナル抗体であることを特徴とする請求項１に記載の抗体または該抗体の一部。
【請求項５】
請求項１乃至請求項４のいずれかに記載の抗体または該抗体の一部と薬学的に許容されうる担体を含んでなる医薬組成物。
【請求項６】
該医薬組成物が、自己免疫疾患、アレルギー性疾患または炎症の治療若しくは該疾患症状の抑制に用いられることを特徴とする請求項５に記載の医薬組成物。
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
下記（１）または（２）のポリペプチドの細胞外領域からなるポリペプチド断片：
（１）配列番号２に記載のアミノ酸配列を有するポリペプチド；
（２）配列番号２に記載のアミノ酸配列中のアミノ酸において１もしくは数個のアミノ酸が置換、欠失もしくは付加されたアミノ酸配列を有するポリペプチドであって、下記のいずれかの特徴を有する細胞表面分子を構成するポリペプチド：
（a）該細胞表面分子に反応性を有する抗体は、マイトジェンで刺激したリンパ芽球細胞間の接着を誘導する；
（b）該細胞表面分子に反応性を有する抗体は、ＣＤ３に反応性を有する抗体との共存下で末梢血リンパ球の増殖を誘導する。
【請求項２】
該ポリペプチドが、配列番号１に記載の塩基配列からなるＤＮＡにストリンジェントな条件下でハイブリダイズするＤＮＡによりコードされることを特徴とする、請求項１に記載のポリペプチド断片。
【請求項３】
該細胞表面分子が、ヒト由来の細胞表面分子であることを特徴とする、請求項１または請求項２に記載のポリペプチド断片。
【請求項４】
請求項１に記載のポリペプチド断片をコードする遺伝子。
【請求項５】
該遺伝子が、cDNAであることを特徴とする請求項４に記載の遺伝子。
【請求項６】
請求項４または請求項５に記載の遺伝子を含有するベクター。
【請求項７】
請求項６に記載のベクターが導入された形質転換体。
【請求項８】
請求項１に記載のポリペプチド断片がジスルフィド結合により結合して形成されるホモダイマー分子。
【請求項９】
請求項１に記載のポリペプチド断片若しくは請求項８に記載のホモダイマー分子のいずれか一方または両方と薬学的に許容されうる担体を含んでなる医薬組成物。
【請求項１０】
該医薬組成物が、自己免疫疾患、アレルギー性疾患または炎症の治療または該疾患症状の抑制に用いられることを特徴とする請求項９に記載の医薬組成物。
【請求項１１】
請求項１に記載のポリペプチド断片とヒトの免疫グロブリン（Ｉｇ）の重鎖の定常領域または定常領域の一部とからなる融合ポリペプチド。
【請求項１２】
免疫グロブリンが、IgGであることを特徴とする請求項１１に記載の融合ポリペプチド。
【請求項１３】
定常領域の一部が、IgGのヒンジ領域、C2ドメイン及びC3ドメインからなることを特徴とする請求項１１に記載の融合ポリペプチド。
【請求項１４】
請求項１１乃至請求項１３のいずれかに記載の融合ポリペプチドがジスルフィド結合により結合して形成されるホモダイマー分子。
【請求項１５】
請求項１１乃至請求項１３のいずれかに記載の融合ポリペプチドまたは請求項１４に記載のホモダイマー分子のいずれか一方または両方と薬学的に許容されうる担体を含んでなる医薬組成物。
【請求項１６】
該医薬組成物が、自己免疫疾患、アレルギー性疾患または炎症の治療または該疾患症状の抑制に用いられることを特徴とする請求項１５に記載の医薬組成物。
【請求項１７】
請求項１に記載のポリペプチド断片に反応性を有する抗体（ここで、該抗体は、ラット抗体、モルモット抗体、ウサギ抗体、キメラ抗体、ヒト型抗体またはヒト抗体のいずれかである）、またはF(ab')2、Fab'、Fab、Fv、sFv、dsFv若しくはdAbから選ばれる該抗体の一部。
【請求項１８】
該抗体が、ラット抗体、モルモット抗体またはウサギ抗体であることを特徴とする請求項１７に記載の抗体または該抗体の一部。
【請求項１９】
該抗体が、キメラ抗体、ヒト型抗体またはヒト抗体であることを特徴とする請求項１７に記載の抗体、または該抗体の一部。
【請求項２０】
該抗体が、モノクローナル抗体であることを特徴とする請求項１７に記載の抗体または該抗体の一部。
【請求項２１】
請求項１に記載のポリペプチド断片に反応性を有するモノクローナル抗体であって、該モノクローナル抗体のマイトジェンで刺激したリンパ芽球細胞への作用が、国際寄託番号FERM BP-5707で識別されるハイブリドーマが産生するモノクローナル抗体がマイトジェンで刺激したラットリンパ芽球細胞に示す作用と実質的に同一であるモノクローナル抗体またはその一部。
【請求項２２】
請求項１に記載のポリペプチド断片に反応性を有するモノクローナル抗体であって、該モノクローナル抗体のマイトジェンで刺激したリンパ芽球細胞への作用が、国際寄託番号FERM BP-5708で識別されるハイブリドーマが産生するモノクローナル抗体がマイトジェンで刺激したラットリンパ芽球細胞に示す作用と実質的に同一であるモノクローナル抗体またはその一部。
【請求項２３】
請求項１７乃至請求項２２のいずれかに記載の抗体または該抗体の一部と薬学的に許容されうる担体を含んでなる医薬組成物。
【請求項２４】
該医薬組成物が、自己免疫疾患、アレルギー性疾患または炎症の治療若しくは該疾患症状の抑制に用いられることを特徴とする請求項２３に記載の医薬組成物。
【請求項２５】
配列番号２に記載のアミノ酸配列を有するポリペプチドもしくは該ポリペプチドから構成される細胞表面分子に反応性を有する抗体またはF(ab')2、Fab'、Fab、Fv、sFv、dsFv若しくはdAbから選ばれる該抗体の一部と、薬学的に許容されうる担体を含んでなる医薬組成物であって、該医薬組成物が、自己免疫疾患、アレルギー性疾患または炎症の治療若しくは該疾患症状の抑制に用いられることを特徴とする医薬組成物。
【請求項２６】
請求項２０乃至請求項２２のいずれかに記載のモノクローナル抗体を産生するハイブリドーマ。
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
下記（１）または（２）のポリペプチド：
（１）配列番号４または配列番号６に記載のアミノ酸配列を有するポリペプチド；
（２）配列番号４または配列番号６に記載のアミノ酸配列中のアミノ酸において１もしくは数個のアミノ酸が置換、欠失もしくは付加されたアミノ酸配列を有するポリペプチドであって、下記のいずれかの特徴を有する細胞表面分子を構成するポリペプチド：
（a）該細胞表面分子に反応性を有する抗体は、マイトジェンで刺激したリンパ芽球細胞間の接着を誘導する；
（b）該細胞表面分子に反応性を有する抗体は、ＣＤ３に反応性を有する抗体との共存下で末梢血リンパ球の増殖を誘導する。
【請求項２】
該ポリペプチドが、配列番号４または配列番号６に記載の塩基配列からなるＤＮＡにストリンジェントな条件下でハイブリダイズするＤＮＡによりコードされることを特徴とする請求項１に記載のポリペプチド。
【請求項３】
請求項１乃至請求項５のいずれかに記載のポリペプチドをコードする遺伝子。
【請求項４】
該遺伝子が、cDNAであることを特徴とする請求項３に記載の遺伝子。
【請求項５】
該cDNAが、配列番号４または配列番号６に記載の塩基配列を有することを特徴とする請求項４に記載の遺伝子。
【請求項６】
該cDNAが、配列番号４の塩基番号35乃至637に記載の塩基配列、または配列番号６の塩基番号35乃至685に記載の塩基配列を含むことを特徴とする請求項４に記載の遺伝子。
【請求項７】
請求項３乃至請求項６のいずれかに記載の遺伝子を含有するベクター。
【請求項８】
請求項７に記載のベクターが導入された形質転換体。
【請求項９】
請求項１または請求項２のいずれかに記載のポリペプチドの細胞外領域からなるポリペプチド断片。
【請求項１０】
請求項９に記載のポリペプチド断片をコードする遺伝子。
【請求項１１】
請求項１または請求項２に記載のポリペプチドの細胞外領域からなるポリペプチド断片がジスルフィド結合により結合して形成されるホモダイマー分子。
【請求項１２】
請求項１または請求項２に記載のポリペプチドの細胞外領域とヒトの免疫グロブリン（Ｉｇ）の重鎖の定常領域または定常領域の一部とからなる融合ポリペプチド。
【請求項１３】
免疫グロブリンが、IgGであることを特徴とする請求項１２に記載の融合ポリペプチド。
【請求項１４】
定常領域の一部が、IgGのヒンジ領域、C2ドメイン及びC3ドメインからなることを特徴とする請求項１２に記載の融合ポリペプチド。
【請求項１５】
請求項１２乃至請求項１４のいずれかに記載の融合ポリペプチドがジスルフィド結合により結合して形成されるホモダイマー分子。
【請求項１６】
配列番号４または配列番号５に記載のアミノ酸配列を有するポリペプチド、該ポリペプチドの細胞外領域からなるポリペプチド断片もしくは該ポリペプチドから構成される細胞表面分子に反応性を有する抗体（但し、該抗体は、マウス抗体ではない。）またはF(ab')2、Fab'、Fab、Fv、sFv、dsFv若しくはdAbから選ばれる該抗体の一部。
【請求項１７】
該抗体が、モノクローナル抗体であることを特徴とする請求項１６に記載の抗体または該抗体の一部。
【請求項１８】
請求項１７に記載のモノクローナル抗体を産生するハイブリドーマ。
【請求項１９】
請求項１に記載のポリペプチドをコードする遺伝子であって、配列番号４の塩基番号35乃至637に記載される塩基配列を含むラット由来の遺伝子が、マウスの内在性遺伝子に組み込まれていることを特徴とするトランスジェニックマウス。